(57)【要約】【課題】本発明の目的は、排出部に照射されている光が、ユーザーに照射されてしまうのを防止することである。【解決手段】回動可能に設けられ、原稿が載置される給送トレイ２０１と、給送トレイ２０１に載置された原稿を搬送する搬送手段２０３と、搬送手段２０３により搬送される原稿の画像を読み取る画像読取手段１０３と、画像読取手段１０３によって画像が読み取られた原稿が排出される、給送トレイ２０１の下方に配置された排出トレイ２０４と、排出トレイ２０４に光を照射する照明２０６と、給送トレイ２０１の回動に応じて、照明２０６による光の照射を停止させる停止部と、を有する【選択図】    図４
2013062793.tif 000002
【特許請求の範囲】
【請求項１】
回動可能に設けられ、原稿が載置される給送原稿載置部と、
前記給送原稿載置部に載置された原稿を搬送する搬送手段と、
前記搬送手段により搬送される原稿の画像を読み取る画像読取手段と、
前記画像読取手段によって画像が読み取られた原稿が排出される、前記給送原稿載置部の下方に配置された排出部と、
前記排出部に光を照射する照明手段と、
前記給送原稿載置部の回動に応じて、前記照明手段による光の照射を停止させる停止手段と、を有することを特徴とする画像読取装置。
【請求項２】
前記停止手段は、前記給送原稿載置部の回動を検知する検知手段と、前記検知手段からの信号に基づいて前記照明手段を制御する制御手段と、を有し、
前記照明手段が光を照射している間に、前記検知手段が前記給送原稿載置部の回動を検知した場合に、前記照明手段を消灯するように前記制御手段が制御することを特徴とする請求項１に記載の画像読取装置。
【請求項３】
前記排出部の原稿が置かれていることを検知するセンサを備え、
前記検知手段によって前記給送原稿載置部が閉じられたことが検知され、且つ、前記センサによって前記排出部の原稿が検知されたら、前記照明手段が光を照射するように前記制御手段が制御することを特徴とする請求項２に記載の画像読取装置。
【請求項４】
前記停止手段は、前記照明手段からの光を遮断する位置に移動する遮蔽部を有し、
前記給送原稿載置部の回動に応じて前記遮蔽部が前記照明手段による光を遮断する位置に移動することを特徴とする請求項１に記載の画像読取装置。
【請求項５】
前記照明手段は、前記給送原稿載置部に設けられていることを特徴とする請求項１乃至請求項４のいずれか１項に記載の画像読取装置。
【請求項６】
原稿の画像を読み取る画像読取手段を有する装置本体と、
原稿が載置される給送原稿載置部と、前記給送原稿載置部に載置された原稿を、前記画像読取手段によって画像を読み取らせながら搬送する搬送手段と、前記画像読取手段によって画像が読み取られた原稿が載置される排出部と、前記排出部に光を照射する照明手段と、を有し、前記装置本体に回動可能に設けられた原稿搬送装置と、
前記原稿搬送装置の回動に応じて、前記照明手段による光の照射を停止させる停止手段と、を有することを特徴とする画像読取装置。
【請求項７】
前記停止手段は、前記原稿搬送装置の回動動作を検知する回動検知手段と、前記回動検知手段からの信号に基づいて前記照明手段を制御する制御手段と、を有し、
前記照明手段が光を照射している間に、前記回動検知手段が前記原稿搬送装置を回動させる動作を検知した場合に、前記照明手段を消灯するように前記制御手段が制御することを特徴とする請求項６に記載の画像読取装置。
【請求項８】
前記排出部に原稿が置かれていることを検知するセンサを備え、
前記回動検知手段によって前記給送原稿載置部が閉じられたことが検知され、且つ、前記センサによって前記排出部の原稿が検知されたら、前記照明手段が光を照射するように、前記制御手段が制御することを特徴とする請求項７に記載の画像読取装置。
【請求項９】
前記停止手段は、前記照明手段からの光を遮断する位置に移動する遮蔽部を有し、
前記原稿搬送装置の回動に応じて、前記遮蔽部が前記照明手段による光を遮断する位置に移動することを特徴とする請求項６に記載の画像読取装置。
【請求項１０】
請求項１乃至請求項９のいずれか１項に記載の画像読取装置と、
前記画像読取装置が読み取った画像に基づいて記録媒体に画像を形成する画像形成部と、を有することを特徴とする画像形成装置。
【発明の詳細な説明】
【技術分野】
【０００１】
本発明は、原稿の排出部に光を照射する照明手段を有する画像読取装置及び画像形成装置に関する。
【背景技術】
【０００２】
従来から、複写機やファクシミリ装置、複合機等の画像形成装置に設けられる画像読取装置には、自動原稿搬送装置（以下、ＡＤＦ：Ａｕｔｏ  Ｄｏｃｕｍｅｎｔ  Ｆｅｅｄｅｒと呼ぶ）を備えたものがある。このＡＤＦは、原稿載置部から原稿を給送し、原稿の画像を読み取る原稿読取部を経由して、前記原稿載置部の下方に設けられた原稿排出部に排出搬送する。
【０００３】
前記画像読取装置では、前記ＡＤＦによって原稿が前記原稿載置部から前記原稿排出部に搬送されるため、ユーザーは前記原稿排出部から原稿を取り除く必要があるが、排出された原稿に気付かず、ユーザーが原稿を取り忘れてしまう問題が生じている。
【０００４】
そこで、この原稿の取り忘れを防止するために、特許文献１のような構成が提案されている。特許文献１では、前記原稿載置部に、前記原稿排出部が見通し可能な透視部を設けている。さらに、前記原稿排出部に原稿が排出されたことを検知する原稿検知手段と、前記原稿排出部を照射する照明を設けている。
【０００５】
そして、前記照明によって前記原稿排出部へ光を照射することにより、ユーザーが前記原稿排出部を目視することを促し、前記原稿排出部へ排出された原稿の取り忘れを防止している。具体的には、前記原稿排出部に一定時間原稿が載置されていると、前記照明が光を照射している。さらに、省電力化のために、光を照射し始めてから所定時間経過後に照射を終了させている。
【先行技術文献】
【特許文献】
【０００６】
【特許文献１】特開２００８−１０９０２号公報
【発明の概要】
【発明が解決しようとする課題】
【０００７】
前記照明によって光を照射することでユーザーが原稿排出部に載置された原稿に気付くと、ユーザーは原稿載置部を回動させて原稿排出部の上方を開放することで原稿排出部から原稿を取り除く。しかしながら、原稿排出部から原稿を取り除く際に、照明によって光が照射されている間に原稿載置部を回動させたとき、照明は光を発している。
【０００８】
また、ＡＤＦを備えた画像読取装置は、複数枚の原稿の画像をＡＤＦにより読み取る（以下、流し読みと呼ぶ）作業の他に、書籍等の厚物原稿の画像をＡＤＦの下方に設けられた原稿台にセットして読み取る（以下、固定読みと呼ぶ）作業も可能である。そのため、前記流し読みの作業の後に、原稿排出部に載置された原稿の存在をユーザーが認識していても、その原稿を取り除く前に続けて前記固定読みの作業を行う場合がある。この場合、厚物原稿を原稿台にセットする際に、照明によって光が照射されている間にＡＤＦを回動させると、照明は光を発している。
【０００９】
以上のように、照明による無駄な光の照射が行われている。
【００１０】
そこで、本発明の目的は、無駄な光の照射を防止することである。
【課題を解決するための手段】
【００１１】
上記目的を達成するため、本発明の画像読取装置は、回動可能に設けられ、原稿が載置される給送原稿載置部と、前記給送原稿載置部に載置された原稿を搬送する搬送手段と、前記搬送手段により搬送される原稿の画像を読み取る画像読取手段と、前記画像読取手段によって画像が読み取られた原稿が排出される、前記給送原稿載置部の下方に配置された排出部と、前記排出部に光を照射する照明手段と、前記給送原稿載置部の回動に応じて、前記照明手段による光の照射を停止させる停止手段と、を有することを特徴とする。
【００１２】
また上記目的を達成するため、本発明の画像読取装置は、原稿の画像を読み取る画像読取手段を有する装置本体と、原稿が載置される給送原稿載置部と、前記給送原稿載置部に載置された原稿を、前記画像読取手段によって画像を読み取らせながら搬送する搬送手段と、前記画像読取手段によって画像が読み取られた原稿が載置される排出部と、前記排出部に光を照射する照明手段と、を有し、前記装置本体に回動可能に設けられた原稿搬送装置と、前記原稿搬送装置の回動に応じて、前記照明手段による光の照射を停止させる停止手段と、を有することを特徴とする。
【発明の効果】
【００１３】
本発明によれば、排出部に光が照射されている間に、ユーザーが給送原稿載置部又は原稿搬送装置を回動させる動作を行うと、停止手段が照明手段による光の照射を停止させる。そのため、無駄な光の照射を少なくすることができる。
【図面の簡単な説明】
【００１４】
【図１】本発明の実施の形態に係る複写機Ａの概略構成を示した図
【図２】（ａ）は本発明の実施の形態に係る原稿搬送装置と画像読取装置の概要を示した図、（ｂ）は図２（ａ）の給送原稿載置部の回動動作を示した図
【図３】図２（ａ）の原稿搬送装置の回動動作を示した図
【図４】本発明の実施の形態に係る照明手段の動作を示したフローチャート
【図５】（ａ）は本発明の実施の形態に係る原稿搬送装置と画像読取装置の他の概要を示した図、（ｂ）は図５（ａ）の遮蔽部が作動した場合を示した図
【図６】シャッターを用いて遮光する形態での制御ブロック図。
【図７】シャッターを用いて遮光する形態において構成を説明する図。
【発明を実施するための形態】
【００１５】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１６】
図１〜図４を参照しながら、本発明の実施の形態に係る画像読取装置及び画像形成装置ついて説明する。ここでは、画像読取装置を備えた画像形成装置としての複写機Ａを例示して説明する。
【００１７】
図１は本発明の実施の形態に係る複写機Ａの概略構成を示す概略図である。図２は前記複写機Ａに設けられた画像読取装置の構成図であり、図２（ａ）は画像読み装置の斜視図、図２（ｂ）は画像読み装置の給送トレイを回動させた状態の斜視図である。図３は前記画像読取装置のＡＤＦを回動させた状態の斜視図である。図４は前記画像読取装置に設けられた照明手段の動作を示したフローチャートである。
【００１８】
まず図１を用いて、本発明の実施の形態に係る複写機Ａの概略構成について説明する。図１示すように、複写機Ａは、操作表示部１０２、画像読取手段１０３、画像処理部１０４、画像形成部１０５、制御部１０１などを備えて構成されている。
【００１９】
操作表示部１０２は、ユーザーにより読取画像の倍率変更や濃度変更などの様々な操作が行われ、各種の情報を表示するタッチパネルを有する液晶ディスプレイである。画像読取手段１０３は、原稿の画像を読み取るための画像読取装置である。画像処理部１０４は、前記画像読取手段１０３によって読み取られた画像に濃度補正処理などの画像処理を施す。画像形成部１０５は、前記画像処理部１０４により画像処理が施された画像データに基づいて記録紙などの記録媒体にトナーによる画像を転写及び定着させる。制御部（制御手段）１０１は、ＣＰＵ及びＲＡＭ、ＲＯＭなどの制御機器を有しており、前記複写機Ａを制御する。
【００２０】
次に、図２（ａ）、図２（ｂ）及び図３を用いて、画像読取装置である前記画像読取手段１０３の構成について説明する。前記画像読取手段１０３は複数枚の原稿の流し読みを行うために原稿の搬送を行う原稿搬送装置であるＡＤＦ２と、前記ＡＤＦ２により搬送された原稿及び原稿台ガラス３０３上にセットされた原稿の画像を読み取るための画像読取装置３により構成される。
【００２１】
ＡＤＦ２は、給送トレイ２０１、給送原稿検知センサ２０２、原稿搬送手段２０３、排出トレイ２０４、排出原稿検知センサ２０５、排出照明２０６、給送トレイ回動検知センサ２０７などを備えて構成されている。
【００２２】
給送トレイ２０１は、給送原稿を載置するための給送原稿載置部である。給送トレイ２０１は、ＡＤＦ２の本体フレーム２０９に回動自在に保持されている。給送原稿検知センサ２０２は、前記給送トレイ２０１に原稿が載置されたことを検知するための給送原稿検知手段である。原稿搬送手段２０３は、前記給送トレイ２０１に載置された原稿をローラやベルトなどにより搬送する。排出トレイ２０４は、前記原稿搬送手段２０３から排出された原稿を載置するための排出部であり、給送トレイ２０１の下方に配置されている。排出原稿検知センサ２０５は、前記排出トレイ２０４に原稿が載置されたことを検知するための排出原稿検知手段である。排出照明２０６は、前記排出トレイ２０４に載置された原稿に光を照射するための照明手段である。なお、前記排出照明２０６は、例えば電球や蛍光灯、発光ダイオードなどである。ここでは、排出照明２０６は、給送トレイ２０１に設けられている。給送トレイ回動検知センサ２０７は、前記給送トレイ２０１の回動動作を検知するための給送原稿載置部回動検知手段である。
【００２３】
図３に示すように、画像読取装置３の上には前記ＡＤＦ２が回動可能（開閉可能）に備えられている。シート状の原稿は、前記原稿搬送手段２０３により搬送されて流し読みガラス３０２の位置（読取位置）で、この流し読みガラス３０２の位置で停止している画像読取手段により画像が読み取られる。一方、書籍等の厚物原稿は、原稿台ガラス３０３の上にセットされて、この原稿台ガラス３０３の上の原稿に沿って移動（走査）する画像読取手段により画像が読み取られる。
【００２４】
さらに、画像読取装置３には、前記ＡＤＦ２の回動動作を検知する原稿搬送装置回動検知手段としてのＡＤＦ回動検知センサ３０１が設けられている。前記画像読取装置３に備えられたＡＤＦ回動検知センサ３０１により、前記ＡＤＦ２を開くように回動させる動作が検知される。すなわち、ＡＤＦ回動検知センサ３０１により、前記ＡＤＦ２を画像読取装置３の装置本体における読取位置から遠ざかる方向に回動させる動作が検知される。
【００２５】
ＡＤＦ２は給送トレイ２０１上にセットされた原稿を、１枚ずつＡＤＦ２の内部へと給送する。ＡＤＦ２は、原稿を画像読取装置３の読取位置（流し読みガラス３０２）を介して搬送し、排出トレイ２０４に排出する。なお、ＡＤＦ２によって搬送されているとき、原稿の画像は画像読取装置３に内包された読取センサ（画像読取手段）によって読み取られる。
【００２６】
ここで、図２（ｂ）に示すように、給送トレイ２０１は排出トレイ２０４の原稿載置面の上方に回動可能に設けられている。即ち、排出トレイ２０４に排出された原稿は、給送トレイ２０１を開くように（排出トレイ２０４の原稿載置面から遠ざかる方向に）回動させることで、容易に取り除くことができるようになっている。
【００２７】
前記排出照明２０６は、例えば図４のフローチャートに示すように、ＡＤＦ２に設けられた排出原稿検知センサ２０５が排出トレイ２０４上に排出された原稿を検知した場合に、排出トレイに向けて光を照射し、排出トレイ２０４へユーザーの目視を促し、排出トレイ２０４上に載置された原稿の取り忘れを防止する役割を果たす。排出照明２０６の点灯、消灯は、排出原稿検知センサ２０５、ＡＤＦ回動検知センサ３０１、給送トレイ回動検知センサ２０７などの各センサからの信号に基づいて制御部１０１によって制御される。制御部１０１は、排出照明２０６による光の照射を停止させる停止部（停止手段）を構成する。以下では、制御部１０１によって行われる排出照明２０６の制御について図４のフローチャートを用いて説明する。
【００２８】
排出トレイ２０４上に原稿が排出され、排出原稿検知センサ２０５が排出トレイ２０４上に原稿が存在すると判断した場合には、ステップＳ４０１及びＳ４０２に示すように、排出照明２０６が光を照射する。一方で、ステップＳ４０５及びＳ４０７に示すように、排出トレイ２０４上の原稿がユーザーによって取り除かれ、排出原稿検知センサ２０５が排出トレイ２０４上に原稿が存在しないと判断した場合には、排出照明２０６を消灯し、光の照射をやめる。
【００２９】
次に、ステップＳ４０３に示すように、ＡＤＦ回動検知センサ３０１は、排出照明２０６が点灯している間に、ＡＤＦ２が回動されたかどうかを検知している。ＡＤＦ回動検知センサ３０１がＡＤＦ２の回動動作が行われたと判断した場合には、排出照明２０６を消灯し、光の照射をやめる（Ｓ４０８）。これにより、ユーザーが複数枚の原稿の画像をＡＤＦ２によって読み取った後、排出トレイ２０４上へ排出された原稿を取り除く前に、書籍等の厚物原稿を原稿台ガラス３０３上にセットして画像読取を行うために、ＡＤＦ２を回動させても排出照明２０６の照射光がユーザーに直接照射されるのを防ぐことができる。その後、ＡＤＦ２が閉じられたら（Ｓ４０９のＹｅｓ）、排出原稿検知センサ２０５が排出トレイ２０４上に原稿が存在するかどうかを検知する（Ｓ４０１）。ＡＤＦ２が閉じられ且つ排出検知センサ２０５が排出トレイ２０４上の原稿を検知したら、Ｓ４０２に示すように、排出照明２０６が光を照射する。ここで、ＡＤＦ２の回動動作が行われなかった場合には、排出照明２０６は継続して光を照射し続ける。
【００３０】
次に、ステップＳ４０４に示すように、給送トレイ回動検知センサ２０７は、給送トレイ２０１が回動されたかどうかを検知している。給送トレイ回動検知センサ２０７が給送トレイ２０１の回動動作が行われたと判断した場合には（Ｓ４０４のＹｅｓ）、排出照明２０６を消灯し、光の照射をやめる（Ｓ４１０）。これにより、ユーザーがＡＤＦ２によって原稿の画像を読み取った後、排出トレイ２０４上へ排出された原稿を取り除くために給送トレイ２０１を回動させた際に、排出照明２０６の照射光がユーザーに直接照射されるのを防ぐことができる。その後、給送トレイ２０１が閉じられたら（Ｓ４１１のＹｅｓ）、排出原稿検知センサ２０５が排出トレイ２０４上に原稿が存在するかどうかを検知する（Ｓ４０１）。給送トレイ２０１が閉じられ且つ排出検知センサ２０５が排出トレイ２０４上の原稿を検知したら、４０２に示すように、排出照明２０６が光を照射する。ここで、給送トレイ２０１の回動動作が行われなかった場合には、排出照明２０６は継続して光を照射し続ける。
【００３１】
さらに、排出トレイ２０４上の原稿が取り除かれず、かつ、給送トレイ２０１及びＡＤＦ２の両方の回動動作が行われなかった場合には、省エネルギー化の観点から以下のようにする。すなわち、ステップＳ４０６に示すように、排出原稿検知センサ２０５が排出トレイ２０４上に原稿が存在すると判断してから所定の時間（例えば１０秒）経過後に、排出照明２０６を消灯し、光の照射をやめる。これにより、消費電力の削減を図ることができる。
【００３２】
なお、前述した実施の形態では、前記排出照明２０６を給送トレイ２０１又はＡＤＦ２の回動動作に応じて消灯させている。しかしながら、排出照明２０６（光源）から照射される照射光を遮る遮蔽部であるシャッター５０１を設け、給送トレイ２０１又はＡＤＦ２の回動動作と連動させて、前記シャッター５０１により排出照明２０６の光を遮断することで排出照明２０６が光の照射を止めるように構成してもよい。
【００３３】
具体的には図５（ａ）、図５（ｂ）に示すように、給送トレイ２０１及びＡＤＦ２の回動動作に連動して作動するシャッター５０１が排出照明２０６の近傍に設けられている。本実施形態では、排出照明２０６の照明を停止させる停止部（停止手段）をシャッター５０１が構成する。ユーザーが給送トレイ２０１（又はＡＤＦ２）を図５（ａ）に示す閉じた位置から図５（ｂ）に示す開いた位置へと回動させると、これに連動して前記シャッター５０１が排出照明２０６の光を遮断する位置に移動し、排出照明２０６の照射光を遮断する。これにより、ユーザーに排出照明２０６の照射光が直接照射されるのを防ぐことができる。シャッター５０１を動かすためには、図６の制御ブロック図に示したソレノイド５０３を用いる。
【００３４】
制御部５０２が、ＡＤＦ回動検知センサ３０１によってＡＤＦ２が開かれたことを検知すると、排出照明２０６の照射光を遮断する位置にシャッター５０１が位置するようにソレノイド５０３への通電を制御する。制御部５０２が、ＡＤＦ回動検知センサ３０１によってＡＤＦ２が閉じられたことを検知すると、排出照明２０６の照射光を遮断しない位置にシャッター５０１が位置するようにソレノイド５０３への通電を制御する。制御部５０２が、給送トレイ回動検知センサ２０７によって給送トレイ２０１が開いたことを検知すると、排出照明２０６の照射光を遮断する位置にシャッター５０１が位置するようにソレノイド５０３の通電を制御する。制御部５０２が、給送トレイ回動検知センサ２０７によって給送トレイ２０１が閉じたことを検知すると、排出照明２０６の照射光を遮断しない位置にシャッター５０１が位置するようにソレノイド５０３の通電を制御する。
【００３５】
なお、シャッターを用いて排出照明２０６の照射光を遮断する形態としては、図７に例示したように給送トレイ２０１の回動にメカ的にシャッターを連動させる連動機構を備えた構成であってもよい。図７において、６０２はＡＤＦ２に設けられ、シャッターである遮光板６０１を移動させるためのカムである。遮光板６０１はスライド移動可能に給送トレイ２０１に設けられている。遮光板６０１は引っ張りバネ６０３によって図中の左方へ、即ち遮光板６０１の端部６０１ａがカム６０２に突き当たるように付勢されている。図７Ａは、給送トレイ２０１を閉じた状態である。図７Ｂは給送トレイ２０１を開いた状態である。図７Ａから図７Ｂで示した位置へと給送トレイ２０１を開くと、カム６０１の作用で引っ張りバネ６０３の付勢力によって排出照明２０６の照射光を遮断する位置に遮光板６０１が移動する。
【００３６】
また、前述した実施形態では、画像読取装置として、原稿搬送装置（ＡＤＦ２）が画像読取装置の装置本体に対して回動可能な構成を例示したが、これに限定されるものではない。原稿を流し読みする構成のみの画像読取装置であっても本発明は有効である。
【００３７】
また、前述した実施形態では、画像形成装置として複写機を例示したが、本発明はこれに限定されるものではない。例えばファクシミリ装置等の他の画像形成装置や、或いはこれらの機能を組み合わせた複合機等の他の画像形成装置であっても良い。これらの画像形成装置に本発明を適用することにより同様の効果を得ることができる。
【符号の説明】
【００３８】
Ａ …複写機
２ …ＡＤＦ
３ …画像読取装置
１０１ …制御部
２０１ …給送トレイ
２０２ …給送原稿検知センサ
２０３ …原稿搬送手段
２０４ …排出トレイ
２０５ …排出原稿検知センサ
２０６ …排出照明
２０７ …給送トレイ回動検知センサ
３０１ …ＡＤＦ回動検知センサ
３０２ …流し読みガラス
３０３ …原稿台ガラス
５０１ …シャッター
【図１】
2013062793.tif 000003
【図２】
2013062793.tif 000004
【図３】
2013062793.tif 000005
【図４】
2013062793.tif 000006
【図５】
2013062793.tif 000007
【図６】
2013062793.tif 000008
【図７】
2013062793.tif 000009